(57)【要約】【課題】電球の落下を抑制しつつ、ワイヤが電球に絡まってしまうのを抑制することのできる照明装置、電球およびソケットを得る。【解決手段】照明装置１０は、電球２０と、電球２０が取り付けられるソケット３０と、電球２０の落下を抑制するワイヤ４０と、を備えている。また、電球２０は、ワイヤ４０が取り付けられる電球側ワイヤ取付部５０と、電球側ワイヤ取付部５０が取り付けられる本体部２１０と、を備えている。そして、電球側ワイヤ取付部５０が、本体部２１０に対して相対回転可能に取り付けられている。【選択図】図１
2017199531.tif 000002
【特許請求の範囲】
【請求項１】
電球と、
前記電球が取り付けられるソケットと、
前記電球の落下を抑制するワイヤと、
を備える照明装置であって、
前記電球は、前記ワイヤが取り付けられる電球側ワイヤ取付部と、前記電球側ワイヤ取付部が取り付けられる本体部と、を備えており、
前記電球側ワイヤ取付部が、前記本体部に対して相対回転可能に取り付けられていることを特徴とする照明装置。
【請求項２】
前記本体部には、円周状の溝が形成されており、
前記電球側ワイヤ取付部は、前記溝に沿って相対回転する電球側取付部本体と、前記電球側取付部本体に設けられて前記ワイヤが固定される電球側ワイヤ固定部と、を備えていることを特徴とする請求項１に記載の照明装置。
【請求項３】
前記電球側取付部本体が円環状をしており、前記電球側取付部本体の少なくとも内周側が前記溝内に収容されていることを特徴とする請求項２に記載の照明装置。
【請求項４】
電球と、
前記電球が取り付けられるソケットと、
前記電球に取り付けられて当該電球の落下を抑制するワイヤと、
を備える照明装置であって、
前記ソケットは、前記ワイヤが取り付けられるソケット側ワイヤ取付部と、前記ソケット側ワイヤ取付部が取り付けられるソケット本体と、を備えており、
前記ソケット側ワイヤ取付部が、前記ソケット本体に対して相対回転可能に取り付けられていることを特徴とする照明装置。
【請求項５】
前記ソケット本体には、円周状の溝が形成されており、
前記ソケット側ワイヤ取付部は、前記溝に沿って相対回転するソケット側取付部本体と、前記ソケット側取付部本体に設けられて前記ワイヤが固定されるソケット側ワイヤ固定部と、を備えていることを特徴とする請求項４に記載の照明装置。
【請求項６】
前記ソケット側取付部本体が円環状をしており、前記ソケット側取付部本体の少なくとも内周側が前記溝内に収容されていることを特徴とする請求項５に記載の照明装置。
【請求項７】
ワイヤが取り付けられる電球側ワイヤ取付部と、
前記電球側ワイヤ取付部が取り付けられる本体部と、
を備え、
前記電球側ワイヤ取付部が、前記本体部に対して相対回転可能に取り付けられていることを特徴とする電球。
【請求項８】
ワイヤが取り付けられるソケット側ワイヤ取付部と、
前記ソケット側ワイヤ取付部が取り付けられるソケット本体と、
を備え、
前記ソケット側ワイヤ取付部が、前記ソケット本体に対して相対回転可能に取り付けられていることを特徴とするソケット。
【請求項９】
請求項１〜６のうちいずれか１項に記載の照明装置で用いられる電球。
【請求項１０】
請求項１〜６のうちいずれか１項に記載の照明装置で用いられるソケット。
【発明の詳細な説明】
【技術分野】
【０００１】
本発明は、照明装置、電球およびソケットに関する。
【背景技術】
【０００２】
従来、照明装置として、電球と、電球が取り付けられるソケットと、を備えるものが知られている。
【０００３】
この特許文献１では、電球をソケットに対して相対回転させることで、電球がソケットに装着されるようになっている。
【０００４】
さらに、この特許文献１では、ソケットがコードを介して天井から吊り下げられている。そして、コードに連結されたワイヤを電球の本体部に固定することで、ソケットから外れた電球が床等に落下してしまうのを抑制できるようにしている。
【先行技術文献】
【特許文献】
【０００５】
【特許文献１】特開２０１３−２０６７５６号公報
【発明の概要】
【発明が解決しようとする課題】
【０００６】
しかしながら、上記従来の技術では、ワイヤが電球の本体部に固定されている。そのため、電球をソケットに装着したり、ソケットから取り外したりする際に、電球をソケットに対して相対回転させると、ワイヤが電球に絡まってしまう場合がある。
【０００７】
そこで、本開示は、電球の落下を抑制しつつ、ワイヤが電球に絡まってしまうのを抑制することのできる照明装置、電球およびソケットを得ることを目的とする。
【課題を解決するための手段】
【０００８】
本開示にかかる照明装置は、電球と、前記電球が取り付けられるソケットと、前記電球の落下を抑制するワイヤと、を備えている。
【０００９】
前記電球は、前記ワイヤが取り付けられる電球側ワイヤ取付部と、前記電球側ワイヤ取付部が取り付けられる本体部と、を備えている。
【００１０】
そして、前記電球側ワイヤ取付部が、前記本体部に対して相対回転可能に取り付けられている。
【００１１】
また、本開示にかかる他の照明装置は、電球と、前記電球が取り付けられるソケットと、前記電球に取り付けられて当該電球の落下を抑制するワイヤと、を備えている。
【００１２】
前記ソケットは、前記ワイヤが取り付けられるソケット側ワイヤ取付部と、前記ソケット側ワイヤ取付部が取り付けられるソケット本体と、を備えている。
【００１３】
そして、前記ソケット側ワイヤ取付部が、前記ソケット本体に対して相対回転可能に取り付けられている。
【００１４】
また、本開示にかかる電球は、ワイヤが取り付けられる電球側ワイヤ取付部と、前記電球側ワイヤ取付部が取り付けられる本体部と、を備えている。
【００１５】
そして、前記電球側ワイヤ取付部が、前記本体部に対して相対回転可能に取り付けられている。
【００１６】
また、本開示にかかるソケットは、ワイヤが取り付けられるソケット側ワイヤ取付部と、前記ソケット側ワイヤ取付部が取り付けられるソケット本体と、を備えている。
【００１７】
そして、前記ソケット側ワイヤ取付部が、前記ソケット本体に対して相対回転可能に取り付けられている。
【発明の効果】
【００１８】
本開示によれば、電球の落下を抑制しつつ、ワイヤが電球に絡まってしまうのを抑制することのできる照明装置、電球およびソケットを得ることができる。
【図面の簡単な説明】
【００１９】
【図１】第１実施形態にかかる照明装置を示す図であって、電球がソケットに取り付けられている状態を一部破断して示す側面図である。
【図２】第１実施形態にかかる照明装置を示す図であって、電球がソケットに取り付けられていない状態を一部破断して示す側面図である。
【図３】第１実施形態にかかる電球を分解して示す側面図である。
【図４】第１実施形態にかかる電球側ワイヤ固定部の本体部への取付方法を説明する図である。
【図５】第１実施形態にかかる電球の本体部を円周状の溝に沿って切断した状態を模式的に示す図である。
【図６】第２実施形態にかかる照明装置を示す図であって、電球がソケットに取り付けられている状態を一部破断して示す側面図である。
【発明を実施するための形態】
【００２０】
以下、本実施にかかる照明装置について、図面を参照しながら説明する。なお、以下では、照明装置として家屋の天井等から吊り下げられて電球が空間に露出する天井吊りの露出型照明装置を例示する。
【００２１】
また、以下の複数の実施形態には、同様の構成要素が含まれている。よって、以下では、それら同様の構成要素には共通の符号を付与するとともに、重複する説明を省略する。
【００２２】
（第１実施形態）
本実施形態にかかる照明装置１０は、図１および図２に示すように、電球２０と、電球２０が取り付けられるソケット３０と、を備えている。
【００２３】
ソケット３０は、様々な場所に固定することができ、例えば、屋内の天井から吊り下げられたコードや天井に固定されたブラケット等に固定することができる。なお、ソケット３０は、屋外の軒等にコードやブラケット等を介して固定することも可能である。そして、このソケット３０には電球２０が着脱可能に取り付けられている。
【００２４】
さらに、本実施形態では、照明装置１０は、電球２０の落下を抑制するワイヤ４０を備えている。具体的には、ワイヤ４０の電球側取付部（一端）４１０を電球２０に取り付け、相手側取付部（他端）を天井やソケット３０が固定されるコード等に取り付けることで、ソケット３０から外れた電球２０がワイヤ４０によって吊り下げられるようにしている。なお、ワイヤ４０の相手側取付部（他端）をソケット３０に固定することも可能である。このように、ソケット３０から外れた電球２０をワイヤ４０によって吊り下げることで、ソケット３０から外れた電球２０が床等に落下してしまうのを抑制できるようにしている。このようなワイヤ４０としては、例えば、金属製のワイヤを用いることができる。
【００２５】
電球２０は、図１〜図４に示すように、ワイヤ４０が取り付けられる電球側ワイヤ取付部５０と、電球側ワイヤ取付部５０が取り付けられる本体部２１０と、を備えている。
【００２６】
本体部２１０は、下側（ソケット３０とは反対側）から上側（ソケット３０側）に向かうにつれて縮径する略筒状に形成されている。すなわち、本体部２１０は、中空を有する略円錐台形状に形成されている。この本体部２１０は、熱伝導性を有する樹脂（例えば、ポリブチレンテレフタレート等）やセラミック等で形成することができる。なお、金属（例えば、アルミニウム等）を用いて本体部２１０を形成することも可能であるし、一部を樹脂やセラミック等で形成しつつ他の部位を金属で形成することも可能である。
【００２７】
そして、本体部２１０の下側には光源２３０が設けられており、本体部２１０の上側には口金２２０が取り付けられている。
【００２８】
口金２２０は、略円筒形状をしており外周面に雄ネジ部２２１ａが形成されているシェル２２１と、シェル２２１に絶縁部２２２を介して装着されるアイレット２２３と、を備えている。
【００２９】
光源２３０は、発光素子としてのＬＥＤチップを用いて形成することができる。例えば、ＬＥＤチップを基板に実装して形成した発光モジュールを本体部２１０の下側に取り付けることで、光源２３０を形成することができる。
【００３０】
そして、本体部２１０の中空部に回路ユニットを配置し、口金２２０を介して受電した電力が発光モジュールに供給される構成とすることができる。このとき、電球２０をソケット３０に取り付けていない状態では、シェル２２１とアイレット２２３とが電気的に接続されないようにしている。例えば、シェル２２１を、リード線を介して回路ユニットおよび発光モジュールに接続させるとともに、アイレット２２３を、シェル２２１に接続されたリード線とは別のリード線を介して回路ユニットおよび発光モジュールに接続させることができる。こうすれば、電球２０をソケット３０に取り付けていない状態では、シェル２２１とアイレット２２３とが電気的に接続されていない状態とすることができる。
【００３１】
さらに、本実施形態では、本体部２１０の下端に、光透過性を有するドーム型のグローブ２４０が光源２３０を覆うように取り付けられている。このグローブ２４０は、透明のガラスや樹脂等を用いて形成することができる。また、半透明のガラスや樹脂等を用いてグローブ２４０を形成することもできる。
【００３２】
一方、ソケット３０は、ソケット本体３１０と、ソケット本体３１０に設けられて口金２２０が取り付けられる受け口３２０と、を備えている。
【００３３】
ソケット本体３１０は、例えば、耐熱性プラスチック等の絶縁材料を用いて形成することができ、長手方向（上下方向）の中程が仕切壁３１１によって仕切られた略円筒状をしている。
【００３４】
そして、このソケット本体３１０の下側には、下方に開口する凹部が形成されており、この凹部が受け口３２０となっている。
【００３５】
そして、この受け口３２０内には、口金２２０を受け口３２０に取り付けた際に、シェル２２１が接触するシェル受金３２１と、アイレット２２３が接触するアイレット接片３２３と、が取り付けられている。
【００３６】
シェル受金３２１は、シェル２２１の雄ネジ部２２１ａが螺合する筒状雌ネジ部３２１ａを有しており、ソケット本体３１０の仕切壁３１１に小ネジ３３１で固定されている。
【００３７】
一方、アイレット接片３２３は、短冊状の金属片を屈曲させた形状をしており、仕切壁３１１に小ネジ３３２で片持ち状態で固定されている。
【００３８】
そして、シェル受金３２１がリード線３３３を介して商用電源等の電源（図示せず）に接続されるとともに、アイレット接片３２３がリード線３３４を介して商用電源等の電源（図示せず）に接続されている。こうすることで、電球２０をソケット３０に取り付けていない状態では、シェル受金３２１とアイレット接片３２３とが電気的に接続されないようにしている。
【００３９】
本実施形態では、このような構成をした電球２０をソケット３０に対して一方向に相対回転させながら口金２２０を受け口３２０に挿入することで、電球２０がソケット３０に取り付けられるようにしている。
【００４０】
そして、電球２０をソケット３０に取り付ける過程では、まず初めに、シェル２２１の雄ネジ部２２１ａがシェル受金３２１の筒状雌ネジ部３２１ａに螺合されることとなる。
【００４１】
そして、シェル２２１の雄ネジ部２２１ａをシェル受金３２１の筒状雌ネジ部３２１ａに螺合させた状態で電球２０をさらに回転させると、アイレット２２３がアイレット接片３２３に接触することとなる。
【００４２】
このように、シェル２２１の雄ネジ部２２１ａをシェル受金３２１の筒状雌ネジ部３２１ａに螺合させつつ、アイレット２２３をアイレット接片３２３に接触させることで、シェル２２１とアイレット２２３とが電気的に接続されることとなる。さらに、シェル受金３２１とアイレット接片３２３とが電気的に接続されることとなる。
【００４３】
例えば、光源２３０を上述した構成とした場合、発光モジュールに接続される回路ユニットは、シェル２２１側のリード線、シェル２２１、シェル受金３２１、リード線３３３を介して商用電源等の電源の一方側に電気的に接続されることとなる。さらに、回路ユニットは、アイレット２２３側のリード線、アイレット２２３、アイレット接片３２３、リード線３３４を介して商用電源等の電源の他方側に電気的に接続されることとなる。
【００４４】
このように、回路ユニットに商用電源等の電源が電気的に接続されることで、回路ユニットに接続された発光モジュールに電力が供給されて、ＬＥＤチップを発光させることができるようになっている。
【００４５】
すなわち、本実施形態にかかる照明装置１０は、電球２０をソケット３０に取り付けることで、光源２３０に電力が供給されるようにし、光源２３０を発光させるものである。
【００４６】
一方、ソケット３０に取り付けられた電球２０をソケット３０に対して他方向（上記一方向とは逆の方向）に相対回転させれば、電球２０をソケット３０から取り外すことができる。
【００４７】
このように、本実施形態にかかる照明装置１０は、電球２０をソケット３０に対して相対回転させることで、電球２０をソケット３０に取り付けたり、電球２０をソケット３０から取り外したりすることができる構成となっている。
【００４８】
したがって、電球２０をソケット３０に装着したり、電球２０をソケット３０から取り外したりする際には、電球２０をソケット３０に対して相対回転させることとなる。
【００４９】
このとき、ワイヤ４０が電球２０の本体部２１０に固定されていると、ワイヤ４０は、他端が固定された状態で、一端４１０側が電球２０の回転に伴って回転してしまうため、ワイヤ４０が電球２０に絡まってしまう場合がある。
【００５０】
そこで、本実施形態では、ワイヤ４０が電球２０に絡まってしまうのを抑制できるようにした。
【００５１】
具体的には、ワイヤ４０が取り付けられる電球側ワイヤ取付部５０を本体部２１０とは別体に設けた。
【００５２】
そして、電球側ワイヤ取付部５０が本体部２１０に対して相対回転できるように、電球側ワイヤ取付部５０を本体部２１０に取り付けた。
【００５３】
本実施形態では、略板状の電球側ワイヤ取付部５０を本体部２１０に相対回転可能に取り付けている。この電球側ワイヤ取付部５０は、例えば、樹脂や金属等の材料を用いて形成することができる。
【００５４】
さらに、本実施形態では、電球側ワイヤ取付部５０は、本体部２１０に挿通される挿通孔５１１が形成された略円環状の電球側取付部本体５１０を備えている。なお、電球側取付部本体５１０は円環状に形成する必要はなく、一部が切り欠かれた略Ｃ字状となるようにすることも可能である。
【００５５】
そして、この電球側取付部本体５１０には、ワイヤ４０が固定される電球側ワイヤ固定部５２０が、径外方向に突出するように連設されている。
【００５６】
さらに、この電球側ワイヤ固定部５２０には貫通孔５２１が形成されており、この貫通孔５２１にワイヤ４０の端部（一端４１０）を挿通させて結びつけることで、ワイヤ４０を電球側ワイヤ固定部５２０に固定している。なお、ワイヤ４０の電球側ワイヤ固定部５２０への固定方法は、上記の方法に限られるものではなく、様々な方法で固定することができる。例えば、ワイヤ４０の端部（一端４１０）にフック部材を取り付け、当該フック部材を電球側ワイヤ固定部５２０の貫通孔５２１に引っ掛けて係合させるようにすることも可能である。
【００５７】
一方、本体部２１０には、電球側ワイヤ取付部５０を相対回転可能に取り付ける被取付部２５０が形成されている。
【００５８】
本実施形態では、被取付部２５０は、電球側取付部本体５１０の挿通孔５１１に挿通される柱状部２５１と、柱状部２５１の下部から径外方向に突設されて、電球側ワイヤ取付部５０の下方への移動を規制する下側フランジ部２５２と、を備えている。
【００５９】
さらに、被取付部２５０は、柱状部２５１の上部に取り付けられ、電球側ワイヤ取付部５０の上方への移動を規制する上側フランジ部２５３を備えている。
【００６０】
そして、本実施形態では、柱状部２５１および下側フランジ部２５２は、本体部２１０に一体に設けられており、上側フランジ部２５３は、本体部２１０とは別体に設けられている。なお、柱状部２５１や下側フランジ部２５２を本体部２１０とは別体に設けることも可能であるし、上側フランジ部２５３を本体部２１０と一体に設けることも可能である。すなわち、上側フランジ部２５３、柱状部２５１および下側フランジ部２５２のそれぞれを、本体部２１０と一体に形成することもできるし、本体部２１０とは別体に形成することもできる。
【００６１】
さらに、本実施形態では、上側フランジ部２５３は、柱状部２５１の上部に着脱可能に取り付けられている。具体的には、上側フランジ部２５３は略円環状をしており、内面側に雌ネジ部２５３ａが形成されている。そして、柱状部２５１の上部には雄ネジ部２５１ａが形成されており、柱状部２５１の雄ネジ部２５１ａと上側フランジ部２５３の雌ネジ部２５３ａとを螺合させることで、上側フランジ部２５３が柱状部２５１の上部に取り付けられるようにしている。なお、上側フランジ部２５３の柱状部２５１への取付方法は、螺合に限られるものではなく、様々な方法を用いることができる。例えば、嵌合等により上側フランジ部２５３を柱状部２５１に着脱可能に取り付けることが可能である。
【００６２】
また、本体部２１０とは別体に形成された上側フランジ部２５３を柱状部２５１に着脱可能に取り付ける必要はなく、溶接や溶着等によって上側フランジ部２５３を本体部２１０に一体化させることも可能である。
【００６３】
そして、上側フランジ部２５３を柱状部２５１の上部に取り付けた際には、上側フランジ部２５３と下側フランジ部２５２との間に、円周状の溝２５４が全周にわたって形成されることとなる。そして、この溝２５４内に、電球側取付部本体５１０の少なくとも内周側が収容されるようになっている。
【００６４】
ここで、本実施形態では、柱状部２５１の溝２５４が形成される部位における外径が、電球側取付部本体５１０の挿通孔５１１の内径よりも小さくなるようにしている。すなわち、柱状部２５１の溝２５４が形成される部位における外面（溝２５４の奥面）と電球側取付部本体５１０の内面との間に隙間ｄが形成されるようにしている（図５参照）。
【００６５】
さらに、下側フランジ部２５２の外径および上側フランジ部２５３の外径が、電球側取付部本体５１０の挿通孔５１１の内径よりも大きくなるようにしている。
【００６６】
このような構成とすることで、電球側ワイヤ取付部５０を被取付部２５０に取り付けた際には、電球側取付部本体５１０が、溝２５４から抜けてしまうのが抑制された状態で、溝２５４に沿って相対回転することとなる。
【００６７】
なお、電球側ワイヤ取付部５０および被取付部２５０は、互いに接触した際に比較的大きな摩擦が生じてしまうのを抑制できるようにするのが好ましい。例えば、電球側ワイヤ取付部５０および被取付部２５０における少なくとも互いに接触可能な部位を、摩擦係数が比較的小さい材料を用いて形成するのが好ましい。こうすれば、電球側ワイヤ取付部５０および被取付部２５０が互いに接触した際に、比較的大きな摩擦が生じてしまうのが抑制されるため、電球側ワイヤ取付部５０を本体部２１０に対してよりスムーズに相対回転させることができるようになる。
【００６８】
この電球側ワイヤ取付部５０は、例えば、下記の方法によって被取付部２５０に取り付けることができる。
【００６９】
まず、上側フランジ部２５３を柱状部２５１から取り外した状態で、電球側取付部本体５１０の挿通孔５１１を電球２０に口金２２０側から挿入する（図４参照）。
【００７０】
次に、上側フランジ部２５３の貫通孔を口金２２０側から挿入して、上側フランジ部２５３の雌ネジ部２５３ａを柱状部２５１の雄ネジ部２５１ａに螺合させて、上側フランジ部２５３を柱状部２５１の上部に取り付ける（図４の二点鎖線参照）。
【００７１】
こうして、電球側ワイヤ取付部５０が被取付部２５０に、抜け止めされた状態で相対回転可能に取り付けられる。
【００７２】
なお、電球側取付部本体５１０を、例えばゴム等の弾性変形可能な材料で形成し、上側フランジ部２５３を柱状部２５１に取り付けた状態で、電球側ワイヤ取付部５０を被取付部２５０に取り付けられるようにしてもよい。
【００７３】
このように、本実施形態では、ワイヤ４０を、電球側ワイヤ取付部５０を介して本体部２１０に相対回転可能に取り付けている。こうすることで、電球２０のソケット３０への着脱の際に、電球２０をソケット３０に対して相対回転させたとしても、ワイヤ４０の一端４１０側が固定されている電球側ワイヤ取付部５０が本体部２１０に対して相対回転することとなる。このように、電球側ワイヤ取付部５０を本体部２１０に対して相対回転させるようにすると、電球２０のソケット３０への着脱の際には、電球２０における電球側ワイヤ取付部５０以外の部位のみがソケット３０に対して相対回転することとなる。すなわち、ワイヤ４０の一端４１０側が電球２０の回転に伴って回転してしまうのが抑制されることとなる。その結果、ワイヤ４０が電球２０（本体部２１０や口金２２０等）に絡まってしまうのを抑制することができるようになる。
【００７４】
以上説明したように、本実施形態の照明装置１０は、電球２０と、電球２０が取り付けられるソケット３０と、電球２０の落下を抑制するワイヤ４０と、を備えている。
【００７５】
この電球２０は、ワイヤ４０が取り付けられる電球側ワイヤ取付部５０と、電球側ワイヤ取付部５０が取り付けられる本体部２１０と、を備えている。
【００７６】
そして、電球側ワイヤ取付部５０が、本体部２１０に対して相対回転可能に取り付けられている。
【００７７】
こうすることで、電球２０のソケット３０への着脱の際に、電球２０における電球側ワイヤ取付部５０以外の部位のみをソケット３０に対して相対回転させることができるようになる。その結果、ワイヤ４０の一端４１０側が電球２０の回転に伴って回転してしまうのを抑制することができ、ワイヤ４０が電球２０（本体部２１０や口金２２０等）に絡まってしまうのを抑制することができるようになる。
【００７８】
このように、本実施形態によれば、電球２０の落下を抑制しつつ、ワイヤ４０が電球２０に絡まってしまうのを抑制することのできる照明装置１０および電球２０を得ることができる。また、上記照明装置１０で用いられる電球２０およびソケット３０を得ることができる。
【００７９】
そして、ワイヤ４０が電球２０に絡まってしまうことを抑制できるようにすれば、電球２０のソケット３０への着脱作業をより容易に行うことができるようになる。
【００８０】
また、本実施形態では、本体部２１０に円周状の溝２５４を形成している。そして、電球側ワイヤ取付部５０は、溝２５４に沿って相対回転する電球側取付部本体５１０と、電球側取付部本体５１０に設けられてワイヤ４０が固定される電球側ワイヤ固定部５２０と、を備えている。
【００８１】
こうすれば、より簡素な構成で、電球側ワイヤ取付部５０を、本体部２１０に対して相対回転可能に取り付けることができる。
【００８２】
また、本実施形態では、電球側取付部本体５１０が円環状をしており、電球側取付部本体５１０の少なくとも内周側が溝２５４内に収容されている。
【００８３】
こうすれば、電球側ワイヤ取付部５０を、本体部２１０に対してよりスムーズに相対回転させることができるようになる。
【００８４】
（第２実施形態）
本実施形態にかかる照明装置１０Ａは、基本的に上記第１実施形態で示した照明装置１０とほぼ同様の構成をしている。すなわち、照明装置１０Ａは、図６に示すように、電球２０Ａと、電球２０Ａが取り付けられるソケット３０Ａと、を備えている。なお、電球２０Ａの内部構造およびソケット３０Ａの内部構造は、上記第１実施形態で示した電球２０およびソケット３０とほぼ同様の構造をしている。したがって、本実施形態にかかる照明装置１０Ａも、電球２０Ａをソケット３０Ａに取り付ける（電球２０Ａの口金２２０をソケット３０Ａに形成された受け口に螺合させる）ことで、光源２３０に電力を供給して、光源２３０を発光させるものである。
【００８５】
さらに、本実施形態においても、照明装置１０Ａは、電球２０Ａに取り付けられて、当該電球２０Ａの落下を抑制するワイヤ４０を備えている。
【００８６】
ここで、本実施形態では、ワイヤ４０の電球側取付部（一端）４１０を、電球２０Ａの本体部２１０に設けられたワイヤ固定部２６０に固定している。このワイヤ固定部２６０には貫通孔２６１が形成されており、この貫通孔２６１にワイヤ４０の端部（一端４１０）を挿通させて結びつけることで、ワイヤ４０をワイヤ固定部２６０に固定している。なお、ワイヤ４０のワイヤ固定部２６０への固定方法は、上記の方法に限られるものではなく、様々な方法で固定することができる。例えば、ワイヤ４０の端部（一端４１０）にフック部材を取り付け、当該フック部材をワイヤ固定部２６０の貫通孔２６１に引っ掛けて係合させるようにすることも可能である。
【００８７】
そして、ワイヤ４０の相手側取付部（他端）４２０をソケット３０Ａのソケット本体３１０に取り付けている。
【００８８】
このとき、ワイヤ４０の相手側取付部（他端）４２０が、ソケット側ワイヤ取付部５０Ａを介してソケット本体３１０に取り付けられるようにしている。
【００８９】
すなわち、ソケット３０Ａが、ワイヤ４０が取り付けられるソケット側ワイヤ取付部５０Ａと、ソケット側ワイヤ取付部５０Ａが取り付けられるソケット本体３１０と、を備えるようにしている。
【００９０】
そして、ワイヤ４０が取り付けられるソケット側ワイヤ取付部５０Ａをソケット本体３１０とは別体に設けている。
【００９１】
さらに、ソケット側ワイヤ取付部５０Ａがソケット本体３１０に対して相対回転できるように、ソケット側ワイヤ取付部５０Ａをソケット本体３１０に取り付けている。
【００９２】
本実施形態では、略板状のソケット側ワイヤ取付部５０Ａをソケット本体３１０に相対回転可能に取り付けている。このソケット側ワイヤ取付部５０Ａは、例えば、樹脂や金属等の材料を用いて形成することができる。
【００９３】
さらに、本実施形態では、ソケット側ワイヤ取付部５０Ａは、ソケット本体３１０に挿通される挿通孔５１１Ａが形成された略円環状のソケット側取付部本体５１０Ａを備えている。なお、ソケット側取付部本体５１０Ａは円環状に形成する必要はなく、一部が切り欠かれた略Ｃ字状となるようにすることも可能である。
【００９４】
そして、このソケット側取付部本体５１０Ａには、ワイヤ４０が固定されるソケット側ワイヤ固定部５２０Ａが、径外方向に突出するように連設されている。
【００９５】
さらに、このソケット側ワイヤ固定部５２０Ａには貫通孔５２１Ａが形成されており、この貫通孔５２１Ａにワイヤ４０の端部（他端端４２０）を挿通させて結びつけることで、ワイヤ４０をソケット側ワイヤ固定部５２０Ａに固定している。なお、ワイヤ４０のソケット側ワイヤ固定部５２０Ａへの固定方法は、上記の方法に限られるものではなく、様々な方法で固定することができる。例えば、ワイヤ４０の端部（他端４２０）にフック部材を取り付け、当該フック部材をソケット側ワイヤ固定部５２０Ａの貫通孔５２１Ａに引っ掛けて係合させるようにすることも可能である。
【００９６】
一方、ソケット本体３１０の長手方向（上下方向）の中程には、ソケット側ワイヤ取付部５０Ａを相対回転可能に取り付ける被取付部３５０が形成されている。
【００９７】
本実施形態では、被取付部３５０は、ソケット側取付部本体５１０Ａの挿通孔５１１Ａに挿通される柱状部３５１と、柱状部３５１の上部から径外方向に突設されて、ソケット側ワイヤ取付部５０Ａの上方への移動を規制する上側フランジ部３５２と、を備えている。
【００９８】
さらに、被取付部３５０は、柱状部３５１の下部に取り付けられ、ソケット側ワイヤ取付部５０Ａの下方への移動を規制する下側フランジ部３５３を備えている。
【００９９】
そして、本実施形態では、柱状部３５１および上側フランジ部３５２は、ソケット本体３１０に一体に設けられており、下側フランジ部３５３は、ソケット本体３１０とは別体に設けられている。なお、柱状部３５１や上側フランジ部３５２をソケット本体３１０とは別体に設けることも可能であるし、下側フランジ部３５３をソケット本体３１０と一体に設けることも可能である。すなわち、下側フランジ部３５３、柱状部３５１および上側フランジ部３５２のそれぞれを、ソケット本体３１０と一体に形成することもできるし、ソケット本体３１０とは別体に形成することもできる。
【０１００】
さらに、本実施形態では、下側フランジ部３５３は、柱状部３５１の下部に着脱可能に取り付けられている。具体的には、下側フランジ部３５３は略円環状をしており、内面側に雌ネジ部３５３ａが形成されている。そして、柱状部３５１の下部には雄ネジ部３５１ａが形成されており、柱状部３５１の雄ネジ部３５１ａと下側フランジ部３５３の雌ネジ部３５３ａとを螺合させることで、下側フランジ部３５３が柱状部３５１の下部に取り付けられるようにしている。なお、下側フランジ部３５３の柱状部３５１への取付方法は、螺合に限られるものではなく、様々な方法を用いることができる。例えば、嵌合等により下側フランジ部３５３を柱状部３５１に着脱可能に取り付けることが可能である。
【０１０１】
また、ソケット本体３１０とは別体に形成された下側フランジ部３５３を柱状部３５１に着脱可能に取り付ける必要はなく、溶接や溶着等によって下側フランジ部３５３をソケット本体３１０に一体化させることも可能である。
【０１０２】
そして、下側フランジ部３５３を柱状部３５１の上部に取り付けた際には、下側フランジ部３５３と上側フランジ部３５２との間に、円周状の溝３５４が全周にわたって形成されることとなる。そして、この溝３５４内に、ソケット側取付部本体５１０Ａの少なくとも内周側が収容されるようになっている。
【０１０３】
ここで、本実施形態では、柱状部３５１の溝３５４が形成される部位における外径が、ソケット側取付部本体５１０Ａの挿通孔５１１Ａの内径よりも小さくなるようにしている。すなわち、柱状部３５１の溝３５４が形成される部位における外面（溝３５４の奥面）とソケット側取付部本体５１０Ａの内面との間に隙間が形成されるようにしている。
【０１０４】
さらに、上側フランジ部３５２の外径および下側フランジ部３５３の外径が、ソケット側取付部本体５１０Ａの内径（挿通孔５１１Ａの径）よりも大きくなるようにしている。
【０１０５】
このような構成とすることで、ソケット側ワイヤ取付部５０Ａを被取付部３５０に取り付けた際には、ソケット側取付部本体５１０Ａが、溝３５４から抜けてしまうのが抑制された状態で、溝３５４に沿って相対回転することとなる。
【０１０６】
なお、ソケット側ワイヤ取付部５０Ａおよび被取付部３５０は、互いに接触した際に比較的大きな摩擦が生じてしまうのを抑制できるようにするのが好ましい。例えば、ソケット側ワイヤ取付部５０Ａおよび被取付部３５０における少なくとも互いに接触可能な部位を、摩擦係数が比較的小さい材料を用いて形成するのが好ましい。こうすれば、ソケット側ワイヤ取付部５０Ａおよび被取付部３５０が互いに接触した際に、比較的大きな摩擦が生じてしまうのが抑制されるため、ソケット側ワイヤ取付部５０Ａをソケット本体３１０に対してよりスムーズに相対回転させることができるようになる。
【０１０７】
このソケット側ワイヤ取付部５０Ａは、例えば、下記の方法によって被取付部３５０に取り付けることができる。
【０１０８】
まず、下側フランジ部３５３を柱状部３５１から取り外した状態で、ソケット側取付部本体５１０Ａの挿通孔５１１Ａを電球２０Ａに口金２２０側から挿入する。
【０１０９】
次に、下側フランジ部３５３の貫通孔を口金２２０側から挿入して、下側フランジ部３５３の雌ネジ部３５３ａを柱状部３５１の雄ネジ部３５１ａに螺合させて、下側フランジ部３５３を柱状部３５１の下部に取り付ける。
【０１１０】
こうして、ソケット側ワイヤ取付部５０Ａが、被取付部３５０に、抜け止めされた状態で、相対回転可能に取り付けられる。
【０１１１】
なお、ソケット側取付部本体５１０Ａを、例えばゴム等の弾性変形可能な材料で形成し、下側フランジ部３５３を柱状部３５１に取り付けた状態で、ソケット側ワイヤ取付部５０Ａを被取付部３５０に取り付けることができるようにしてもよい。
【０１１２】
以上の本実施形態によっても、上記第１実施形態と同様の作用、効果を奏することができる。
【０１１３】
また、本実施形態にかかる照明装置１０Ａは、電球２０Ａと、電球２０Ａが取り付けられるソケット３０Ａと、電球２０Ａに取り付けられて当該電球２０Ａの落下を抑制するワイヤ４０と、を備えている。
【０１１４】
このソケット３０Ａは、ワイヤ４０が取り付けられるソケット側ワイヤ取付部５０Ａと、ソケット側ワイヤ取付部５０Ａが取り付けられるソケット本体３１０と、を備えている。
【０１１５】
そして、ソケット側ワイヤ取付部５０Ａが、ソケット本体３１０に対して相対回転可能に取り付けられている。
【０１１６】
こうすることで、電球２０Ａのソケット３０Ａへの着脱の際に、電球２０Ａのソケット３０Ａに対する相対回転に伴って、ワイヤ４０の他端４２０側をソケット本体３１０に対して相対回転させることができるようになる。その結果、ワイヤ４０が電球２０Ａ（本体部２１０や口金２２０等）に絡まってしまうのを抑制することができるようになる。
【０１１７】
このように、本実施形態によれば、電球２０Ａの落下を抑制しつつ、ワイヤ４０が電球２０Ａに絡まってしまうのを抑制することのできる照明装置１０Ａおよびソケット３０Ａを得ることができる。また、上記照明装置１０Ａで用いられる電球２０Ａおよびソケット３０Ａを得ることができる。
【０１１８】
そして、ワイヤ４０が電球２０Ａに絡まってしまうことを抑制できるようにすれば、電球２０Ａのソケット３０Ａへの着脱作業をより容易に行うことができるようになる。
【０１１９】
また、本実施形態では、ソケット本体３１０に円周状の溝３５４を形成している。そして、ソケット側ワイヤ取付部５０Ａは、溝３５４に沿って相対回転するソケット側取付部本体５１０Ａと、ソケット側取付部本体５１０Ａに設けられてワイヤ４０が固定されるソケット側ワイヤ固定部５２０Ａと、を備えている。
【０１２０】
こうすれば、より簡素な構成で、ソケット側ワイヤ取付部５０Ａを、ソケット本体３１０に対して相対回転可能に取り付けることができる。
【０１２１】
また、本実施形態では、ソケット側取付部本体５１０Ａが円環状をしており、ソケット側取付部本体５１０Ａの少なくとも内周側が溝３５４内に収容されている。
【０１２２】
こうすれば、ソケット側ワイヤ取付部５０Ａを、ソケット本体３１０に対してよりスムーズに相対回転させることができるようになる。
【０１２３】
以上、本発明の好適な実施形態について説明したが、本発明は上記実施形態には限定されず、種々の変形が可能である。
【０１２４】
例えば、上記各実施形態では、ＬＥＤを光源として用いた電球を例示したが、電球として白熱電球を用いることも可能である。また、半導体光源等の発光素子を光源として用いることも可能である。
【０１２５】
また、電球側ワイヤ取付部やソケット側ワイヤ取付部の形状は、上記各実施形態で示したもの（略円環状）に限られるものではない。例えば、本体部やソケット本体にカーテンレール状の溝を全周にわたって形成するとともに、当該溝にクリップ部をスライド可能に取り付け、当該クリップ部を、電球側ワイヤ取付部やソケット側ワイヤ取付部として機能させるようにすることが可能である。
【０１２６】
また、上記各実施形態では、照明装置として天井吊りの露出型照明装置を例示したが、これに限らず、例えば、天井埋め込み型の照明装置等、様々なタイプの照明装置に適用することができる。
【０１２７】
また、本体部やソケット本体、その他細部のスペック（形状、大きさ、レイアウト等）も適宜に変更可能である。
【符号の説明】
【０１２８】
１０，１０Ａ  照明装置
２０，２０Ａ  電球
２１０  本体部
２５４  溝
３０，３０Ａ  ソケット
３１０  ソケット本体
３５４  溝
４０  ワイヤ
４１０  一端
４２０  他端
５０  電球側ワイヤ取付部
５０Ａ  ソケット側ワイヤ取付部
５１０  電球側取付部本体
５１０Ａ  ソケット側取付部本体
５２０  電球側ワイヤ固定部
５２０Ａ  ソケット側ワイヤ固定部
【図１】
2017199531.tif 000003
【図２】
2017199531.tif 000004
【図３】
2017199531.tif 000005
【図４】
2017199531.tif 000006
【図５】
2017199531.tif 000007
【図６】
2017199531.tif 000008